(57)【要約】【課題】【解決手段】医療電気リードの管腔のシールは、医療電気リードの外面の一部分を形成し得るようにされた外面と、リードの管腔を密封し、しかもリードの管腔内に摺動可能に係合した細長い部材が通るのを係合し得るようにされた内面とを有する。シールは、もの内部に薬剤が埋め込まれた部分を更に有し、該薬剤は、該部分からシールの外面を通って分散され得るようにされている。
2008510574.tif 000002
【特許請求の範囲】
【請求項１】
医療電気リードにおいて、
細長いリード本体であって、該リード本体を貫通して伸びる管腔と、外面と、末端部分とを有する前記細長いリード本体と、
リード本体の末端部分に連結された電極と、
電極に近接してリード本体の末端部分に連結された弾性要素であって、該弾性要素は、リード本体の外面の一部分を形成する外面と、リードの管腔を密封し、しかもリード本体の管腔内に摺動可能に係合した細長い部材が通るのを許容し得るようにされた内面とを備える前記弾性要素と、
その内部に薬剤が埋め込まれた部分であって、該薬剤は、該部分から外面を通って分散し得るようにされた前記部分と、
を備える医療電気リード。
【請求項２】
請求項１に記載のリードにおいて、
要素の部分は、薬剤と混合させたシリコーンゴムにて形成される、リード。
【請求項３】
請求項１に記載のリードにおいて、
薬剤は抗炎症剤である、リード。
【請求項４】
請求項１に記載のリードにおいて、
弾性要素は、リード本体の末端部分の末端にて終わる、リード。
【請求項５】
請求項１に記載のリードにおいて、
弾性要素は電極から末端方向に伸びる、リード。
【請求項６】
請求項１に記載のリードにおいて、
弾性要素は全体としてカップ形状である、リード。
【請求項７】
医療電気リードの管腔のシールにおいて、
医療電気リードの外面の一部分を形成し得るようにされた外面と、
リードの管腔を密封し、しかもリードの管腔内に摺動可能に係合した細長い部材が通るのを許容し得るようにされた内面と、
その内部に薬剤が埋め込まれた部分であって、該薬剤は、該部分から外面を通って分散し得るようにされた前記部分と、を備える医療電気リードの管腔のシール。
【請求項８】
請求項７に記載の管腔のシールにおいて、
前記部分は、薬剤と混合させたシリコーンゴムにて形成される、管腔のシール。
【請求項９】
請求項７に記載の管腔のシールにおいて、
治療剤は抗炎症剤である、管腔のシール。
【請求項１０】
請求項７に記載の管腔のシールにおいて、
全体としてカップ形状である、管腔のシール。
【発明の詳細な説明】
【技術分野】
【０００１】
本発明は、医療電気システム、より具体的には、電極組立体に関する。
【背景技術】
【０００２】
心臓刺激システムは、共通して、少なくとも１つの医療電極によって心臓と電気的に接続されたペースメーカ又は植込み型カルジオバータ／除細動器のようなパルス発生装置を有する。医療電極は、装置によって発生された電気パルスを心臓まで送り出し、また、心臓の信号を検知し、このため装置は心臓の電気的活動を監視することができる。これらの電気パルスは、典型的に、１つ又はより多くのリード内を伸びる細長い導体を介して装置と電極との間にて伝達される。
【発明の開示】
【発明が解決しようとする課題】
【０００３】
近年、心臓再同期化療法の発達に伴い、心臓の冠状静脈系の血管内に経静脈リード電極を植え込んで左心室の心外膜の面を刺激することにより左心室のペーシングが実現されている。このため、血管の環境内にて送り出し且つ機能するのに適した電極組立体が必要とされている。
【０００４】
添付図面は、本発明の特定の実施の形態を示すものであり、このため、その範囲を限定するものではないが、本発明を適正に理解するのを助けるため掲げたものである。図面は、正確な縮尺通りではなく（別段の記述がない限り）、また、以下の詳細な説明と共に、使用されるべきことを意図するものである。
【発明を実施するための最良の形態】
【０００５】
本発明は、以下に、同様の要素を同様の参照番号にて表示する添付図面に関して説明する。
以下の詳細な説明は、性質上、単に一例であり、本発明の範囲、適用可能性又は形態を何ら制限することも意図するものではない。以下の詳細は、本発明の一例としての実施の形態を具体化するための実際的な例を提供するものである。
【０００６】
図１Ａは、本発明の１つの実施の形態に従った医療電気リード１００の平面図である。図１Ａには、リードコネクタ１３により基端にて終わるほぼ直線状の基端リード本体部分１５と、基端部分１５から末端方向に伸びる予め形成した末端のリード本体部分１７とを有している。図１Ａには、第一の方向に曲がる第一の円弧状セグメント１２を有する末端のリード本体部分１７と、第一の円弧状セグメント１２から伸びるほぼ直線状のセグメント１４と、直線状セグメント１４から伸び且つ第二のほぼ末端方向に曲がる第二の円弧状セグメント１６と、第三のほぼ基端方向に曲がる第三の円弧状セグメント１８と、第三の円弧状セグメント１８から伸びる末端の先端セグメント１９とが更に示されている。本発明の図示した実施の形態に従い、リード１００は、ほぼ直線状のセグメント１４と連結された第一の電極Ｅ１と、末端の先端セグメント１９に連結された第二の電極とを更に有しており、電極Ｅ１、Ｅ２に対する末端部分１７の円弧状セグメントの予め形成した曲線状部の位置は、以下に更に説明するように、冠状血管内に植え込んだとき、電極Ｅ１、Ｅ２が心外膜に接触することを可能にする。
【０００７】
図１Ａには、円弧状セグメント１２、１６、１８にそれぞれ含まれた円弧の角度１２５、１６５、１８５が更に示されている。本発明の一部の実施の形態に従って、円弧の寸法は表１に示した通りである。
【０００８】
表１：円弧の寸法
円弧状セグメント  円弧半径（ｍｍ）範囲          円弧角度範囲
１２        〜５．０８ｍｍ−〜７．６２ｍｍ      角度１２５：〜４５°−〜９０°
（〜０．２インチ−〜０．３インチ）
１６        〜５．０８ｍｍ−〜１０．１６ｍｍ    角度１６５：〜１０°−〜４０°
（〜０．２インチ−〜０．４インチ）
１８      〜２．５４ｍｍ−〜１０．１６ｍｍ    角度１８５：〜６０°−〜１００°
（〜０．１インチ−〜０．４インチ）
更に、一部の実施の形態に従った直線状セグメント１４の長さは、約５．０８ｍｍ（０．２インチ）ないし約１７．７８ｍｍ（０．７インチ）であり、末端の先端セグメント１９の長さは約１．２７ｍｍ（０．０５インチ）ないし約５．０８ｍｍ（０．２インチ）である。１つの実施の形態に従い、電極Ｅ２は電極から基端方向に伸び又は伸びなくてもよい末端の先端セグメント１９にて終わる。別の実施の形態に従い、末端の先端セグメント１９の一部分は、図１に破線で示したように、電極Ｅ２から末端方向に伸びており、この伸び部分は湾曲させることができるが、湾曲させなくてもよい。これと代替的に、末端のリード本体部分１７は、傾斜しており、基端部分１５の長手方向軸線Ａ１５に対して角度１２５にて曲がり、また、ほぼ直線状セグメント１４から伸び、また、末端頂点１８０を有するセグメント１８に相応するこぶ状セグメント（ｈｕｍｐ−ｌｉｋｅ  ｓｅｇｍｅｎｔ）を有するものとして説明する。本発明の１つの実施の形態に従い、セグメント１８の円弧は、約１０．１６ｍｍ（０．４インチ）ないし約１７．７８ｍｍ（０．７インチ）の弦長さを有し、また、セグメント１８の末端の頂点１８０は、約２．５４ｍｍ（０．１インチ）ないし約７．６２ｍｍ（０．３インチ）の高さＨを有する。
【０００９】
例えば、導体及び絶縁体の配置、電極と導体との連結、及びコネクタ１３の組み立てに関するリード１００に関する全体的な構造の詳細は、当該技術の当業者に周知である。電極Ｅ１、Ｅ２をコネクタ１３のコネクタ接点と連結する導体は横に並べたケーブル又は同軸状ケーブルとし、その何れもＭＰ３５Ｎ合金にて出来たワイヤーにて形成することができ、また、電気的絶縁のため導体の回りに形成された絶縁体は、ポリウレタン、フルオロポリマー、シリコーン、ポリイミド又はそれらの任意の組み合わせにて形成することができる。末端部分１７を予め形成する方法は、その内部を伸びる導体及び（又は）導体の回りを伸びるシースを予め形成するステップを含む。１つの方法に従い、基端リード本体部分１５と末端の先端セグメント１７との間を伸びる１つ又はより多くのシースは、ポリウレタンにて形成され、このシースは、予め形成された曲線状となるように熱硬化される。かかる方法は、その内容を参考として引用し本明細書に含めた米国特許明細書５，９９９，８５８号に更に記載されている。
【００１０】
図１Ｂは、冠状静脈系１９３内に植え込んだリード１００の概略図であり、図１Ｃは、その内部の末端リード本体部分１７の拡大図である。図１Ｂには、冠状脈管組織１９３内まで冠状静脈洞１９１を通って進んだリード１００が示されており、電極Ｅ１、Ｅ２は左心室をペーシングし得るよう配置されている。本発明の一部の実施の形態に従い、電極Ｅ１、Ｅ２の双方はペーシング刺激を行い、２つの電極の一方を好ましい植込み位置に基づいて心室をペーシングし得るよう選ぶことができる設計とされている。図１Ｃに示すように、末端リード本体部分１７の予め形成した曲線状部は、電極Ｅ１、Ｅ２の双方が左心室の心外膜の面１７５と接触することを保証する。電極Ｅ１、Ｅ２は、各々が約２ｍｍ２と約１０ｍｍ２との間の範囲の表面積を有し、また、例えば、白金−イリジウム及びチタンのような当該技術の当業者に既知の任意の適宜な材料にて形成することができる。図１Ｃの破線は、代替的な末端リード本体部分を示し、この場合、予め形成したこぶ（すなわち図１Ａのセグメント１８）は、２つの電極が末端リード本体部分内に含まれたとき、こぶが必要であることを示すため含まれていない。図１Ｃには、傾斜した末端部分１７が電極Ｅ２を心外膜の面１７５と接触するように押す作用も示されている。
【００１１】
図１Ｃには、末端部分１７の予め形成したセグメント１２、１６、１８（図１Ａ）は可撓性であり、冠状脈管組織１９３の血管壁により加えられた外力に従って曲がることが更に示されている。これらのセグメントは、リード１００の管腔内にて挿入されたスタイレットにより加えられた内力に従って曲がることもできる。
【００１２】
図２は、本発明の１つの実施の形態に従って、図１Ａないし図１Ｃに示した第一の電極Ｅ１に相応するリード電極組立体の拡大詳細平面図である。図２には、電極Ｅ１からセグメント１２（図１Ａ）に向けて伸びる末端リード本体部分１７のほぼ直線状セグメント１４が示されている。Ｅ１は、セグメント１４に沿って配置し、セグメント１４が電極Ｅ１から反対方向に更に伸びるようにし又は電極Ｅ１は、第二の円弧状セグメント１６（従って、図２に示したセグメント１４／１６）に近接し又は隣接するようにする。図２には、セグメント１４、１４／１６の直径Ｄ１、Ｄ１´よりもそれぞれ大きい最大直径Ｄ２を有する中央部分を含む電極Ｅ１が更に示されている一方、電極Ｅ１の端部は、直径Ｄ１、Ｄ１´にて面一である。本発明の一部の実施の形態に従い、直径Ｄ２対直径Ｄ１、Ｄ１´との比は、約１．１ないし約１．６である。Ｄ２に近接する電極Ｅ１の作用可能な外面は、心外膜の面組織、例えば、図１Ｃに示した心外膜の面１７５と最良に接触する。
【００１３】
図示した実施の形態に従い、電極Ｅ１の作用可能な外面は、ほぼ円弧状のプロファイルを有しており、また、電極Ｅ１の長手方向中心とほぼ整合された凹所２１を有し、また、該凹所内に治療薬又は生物活性薬剤２２が保持され、薬剤２２は、電極Ｅ１を植え込んだとき、凹所２１から分散し得るようにされている。１つの代替的な実施の形態に従い、薬剤を保持する凹所は、図２に破線で示すように、セグメント１４に近接してＥ１の長手方向中心から変位されている。図１は電極Ｅ１の周囲の回りを伸びる凹所が示されているが、本発明の代替的な実施の形態は、性質上別個であり、また、各種の向きを有する全体として肉眼的大きさの凹所を有する。図２のその他の破線は、電極Ｅ１の隣接する外面に対して突き出し、面一又は凹状とすることのできる円弧状プロファイル及び平坦なプロファイルを含む薬剤２２の代替的なプロファイルが示されている。本発明の１組みの実施の形態に従い、薬剤２２は、ポリマー基質内に埋め込まれ、また、特定の実施の形態に従って薬剤２２は、例えば、ポリウレタン又はシリコーン基質内に埋め込んだ、例えば、デキサメタゾンリン酸ナトリウム、酢酸デキサメタゾン又はジプロピオン酸ベクロメタゾンのようなステロイドの如く抗炎症剤であり、ステロイド基質から溶出して、電極との接触箇所の炎症を防止する。本発明の実施の形態にて適用するためかかる化合物を形成する方法は、当該技術の当業者に周知である。別の組みの実施の形態に従い、凹所２１の面は、その内部に薬剤２２が埋め込まれたマイクロ構造体、例えば、ベクロメタゾンが埋め込まれた白金被覆面を含む。
【００１４】
図３は、本発明の別の実施の形態に従い、図１Ａないし図１Ｃに示した第二の電極Ｅ２に相応する別のリード電極組立体の拡大詳細断面図である。図３には、導体コイル３１と、導体コイル３１及び電極Ｅ２が連結されるコア３３とにより形成された管腔３０を有するリード１００が示されている。管腔３０は、コア３３に取り付けられ且つ、電極Ｅ２に隣接する弾性要素３４を有する末端の先端セグメント１９の末端にて終わる。図示した実施の形態に従い、要素３４は、全体としてカップ形状であり、また、外面３０２を有し、該外面は、末端リード本体部分１７（図１Ａ）の末端先端セグメント１９の外面３２の一部分と、管腔３０を密封すると共に、例えば、要素３４の弾性の性質により、ガイドワイヤーのような細長い部材が通るのを許容し得るよう分離させ得るようにされた内面３００とを有する。米国特許明細書６，１９２，２８０号には、図３に示し且つその内容の全体を参考として引用し本明細書に含めた組立体の一部が記載されている。本発明の一部の実施の形態に従い、要素３４は、リード１００を植え込んだとき、外面３０２から分散し得るようにされた埋め込んだ治療薬又は生物活性薬剤を更に含む。１つの実施の形態に従い、薬剤は、例えば、デキサメタゾンリン酸ナトリウム、酢酸デキサメタゾン又はジプロピオン酸ベクロメタゾンのようなステロイドのごとき抗炎症剤であり、要素３４は、シリコーンを成形する技術の当業者に既知の方法に従ってステロイド（重量比にて１０％ないし５０％）とシリコーンゴムとの混合体をトランスファー成形することにより形成される。
【００１５】
上記の詳細な説明において、本発明は、特定の実施の形態に関して説明した。しかし、特許請求の範囲に記載された本発明の範囲から逸脱せずに、色々な形態変更例及び変更を為すことが可能であることが理解できる。例えば、本明細書に記載した本発明の電極組立体は、本明細書に記載したリード本体の実施の形態にのみ限定されず、多くの型式の医療電気システム内に組み込むことができる。更に、本発明の実施の形態は、冠状静脈脈管組織から心臓をペーシングすることに関して説明したが、本発明の範囲は、この特定の適用例に限定されるものではなく、本発明の実施の形態は、その他の身体の環境に適用可能である。
【図面の簡単な説明】
【００１６】
【図１】１Ａは、本発明の１つの実施の形態に従った医療電気リードの平面図である。１Ｂは、前方斜視図から見た冠状静脈系内に植え込んだ図１Ａのリードの概略図である。１Ｃは、冠状静脈内に植え込んだ図１Ａに示したリードの末端部分の拡大図である。
【図２】本発明の１つの実施の形態に従ったリード電極組立体の拡大詳細平面図である。
【図３】本発明の別の実施の形態に従った別のリード電極組立体の拡大詳細断面図である。
【図１Ａ】
2008510574.tif 000003
【図１Ｂ】
2008510574.tif 000004
【図１Ｃ】
2008510574.tif 000005
【図２】
2008510574.tif 000006
【図３】
2008510574.tif 000007
【国際調査報告】
2008510574.tif 000008
2008510574.tif 000009
2008510574.tif 000010